(57)【特許請求の範囲】
【請求項１】
振出形式で複数の竿体を連結してなる釣竿であって、
大径竿体と、
前記大径竿体の穂先側に振出形式で連結され、前記大径竿体内部に収納された収納状態及び前記大径竿体の穂先側に引き出された延伸状態の２つの状態でそれぞれ前記大径竿体の穂先側に連結して固定可能な小径竿体と、
前記大径竿体の穂先側端部の周面に配置された第１釣糸ガイドと、
前記小径竿体の周面に配置された第２釣糸ガイドとを備え、
前記第１釣糸ガイド及び第２釣糸ガイドは、それぞれ前記大径竿体及び前記小径竿体の周面に固定される固定部分と前記固定部分から起立する本体部と前記本体部に装着されたガイドリングとを有しており、前記第２釣糸ガイドのガイドリングは、前記第１釣糸ガイドのガイドリングより小径のリングで、前記小径竿体の収納状態において前記第１釣糸ガイドのガイドリング内に合致する、
ように構成された釣竿。
【請求項２】
振出形式で複数の竿体を連結してなる釣竿であって、
大径竿体と、
前記大径竿体の穂先側に振出形式で連結され、前記大径竿体内部に収納された収納状態及び前記大径竿体の穂先側に引き出された延伸状態の２つの状態でそれぞれ前記大径竿体の穂先側に連結して固定可能な小径竿体と、
前記大径竿体の穂先側端部の周面に配置された第１釣糸ガイドと、
前記小径竿体の周面に配置された第２釣糸ガイドとを備え、
前記第１釣糸ガイド及び第２釣糸ガイドは、それぞれ前記大径竿体及び前記小径竿体の周面に固定される固定部分と前記固定部分から起立する本体部と前記本体部に装着されたガイドリングとを有しており、前記第１釣糸ガイドのガイドリングと前記第２釣糸ガイドのガイドリングとは、前記小径竿体の収納状態において相互に隣接して当接する、
ように構成された釣竿。
【発明の詳細な説明】
【０００１】
【発明の属する技術分野】
本発明は、振出形式で連結される複数の竿体を有する釣竿に関する。詳しくは、特定の竿体同士を収納状態及び延伸状態の何れにおいても相互に連結固定可能とし、竿全体の長さを変化させて釣りを行えるように工夫した釣竿に関する。
【０００２】
【従来の技術】
従来の振出形式の釣竿は、複数の筒状の竿体が穂先側の竿体から順次竿元側の竿体内に挿入可能になっている。釣りを行う際には各竿体を順次穂先側に引き出して嵌合固定して一本の竿体として用いる。一方、収納時には穂先側の竿体を順次竿元側の竿体内に収納してコンパクトな状態とする。
【０００３】
また、従来の振出形式の釣竿には竿全体の長さを変化させて釣りを行えるように工夫したものがある。このように工夫された釣竿は、例えば、穂先側端部内周面に嵌合雌部を有する元竿と、竿元側端部外周面に第１嵌合雄部を有しつつ長手方向中央付近の外周面に第２嵌合雄部を有する元上竿とを備える。
そして、この種の釣竿では、元竿の穂先側に連結される元上竿が穂先側に引き出された状態（以下「延伸状態」という）では、嵌合雌部を第１嵌合雄部と嵌着させ、元上竿が元竿内に挿入された状態（以下「収納状態」という）では、嵌合雌部を第２嵌合雄部と嵌着させることが可能となっている。
【０００４】
こうして、元竿と元上竿とは「延伸状態」，「収納状態」のいずれの状態においても互いに嵌合固定可能であり、状況に応じて竿全体の長さを変化させて釣りを行える。
【０００５】
【発明が解決しようとする課題】
ところで、釣竿の外周面にはリールからの釣糸を案内するための釣糸ガイドが軸方向に間隔を隔てて設けられている。このような釣糸ガイドを適度な軸方向間隔で配置することで、釣糸を円滑に案内しているのである。
しかし、従来の竿全体の長さを変化させて釣りを行えるように工夫した釣竿では、延伸状態と収納状態とに於いて竿体の軸方向長さに変化が生じる為に、釣糸ガイド間の軸方向間隔にも変化が生じる。このような軸方向間隔の変化は、リールからの釣糸の導出若しくは導入をアンバランスなものとして円滑な釣り操作を損なう恐れがある。
【０００６】
本発明の課題は、釣竿全体の長さを調整しつつ、円滑な釣り操作を可能とする釣竿を提供することにある。
【０００７】
【課題を解決するための手段】
発明１の釣竿は、振出形式で複数の竿体を連結してなる釣竿であって、大径竿体と、大径竿体の穂先側に振出形式で連結され大径竿体内部に収納された収納状態及び大径竿体の穂先側に引き出された延伸状態の２つの状態でそれぞれ大径竿体の穂先側に連結して固定可能な小径竿体と、大径竿体の穂先側端部の周面に配置された第１釣糸ガイドと、小径竿体の周面に配置された第２釣糸ガイドとを備えている。
【０００８】
この釣竿では、小径竿体を大径竿体の穂先側に引き出した延伸状態においては、通常の振出形式の釣竿のように、例えば、小径竿体の竿元側外周面を大径竿体の穂先側内周面に嵌合させて固定する。そして、小径竿体を大径竿体内に挿入した収納状態においては、例えば、小径竿体の所定位置の周面を大径竿体内の穂先側内周面に嵌合させて固定する。このように延伸状態と収納状態との何れにおいても相互に竿体同士を固定可能であり、何れの状態においても釣りを行うことができるようになっている。
【０００９】
この大径竿体と小径竿体との周面にはそれぞれ第１釣糸ガイドと第２釣糸ガイドが所定の間隔を隔てて配置されており、延伸状態においては、この第１釣糸ガイドと第２釣糸ガイドがそれぞれ釣糸を円滑に案内している。
【００１０】
さらに、この釣竿の第１釣糸ガイド及び第２釣糸ガイドは、それぞれ大径竿体及び小径竿体の周面に固定される固定部分と固定部分から起立する本体部と本体部に装着されたガイドリングとを有している。そして、第２釣糸ガイドのガイドリングは、第１釣糸ガイドのガイドリングより小径のリングであり、収納状態において第１釣糸ガイドのガイドリング内に合致するものである。
【００１１】
この釣竿では、収納状態において第２釣糸ガイドのガイドリングが第１釣糸ガイドのガイドリング内に合致し、第１釣糸ガイドと第２釣糸ガイドとが恰も１つの釣糸ガイドのようになる。そして、他の釣糸ガイドとの間で不当に釣糸ガイド同士の軸方向間隔を変化させること無く、釣糸を円滑に案内する。
ここで、第２釣糸ガイドのガイドリングはそのガイドリング自体の外径が第１釣糸ガイドのガイドリングの内径に一致して第１釣糸ガイドのガイドリングに填るようにしても良いが、第２釣糸ガイドのガイドリングを支える本体部の一部と共に第１釣糸ガイドのガイドリングに填るようにしてもよい。
【００１２】
発明２の釣竿は、基本的構成は前記発明１の釣竿と同じであって、第１釣糸ガイド及び第２釣糸ガイドは、それぞれ大径竿体及び小径竿体の周面に固定される固定部分と固定部分から起立する本体部と本体部に装着されたガイドリングとを有している。そして、第１釣糸ガイドのガイドリングと第２釣糸ガイドのガイドリングとは、収納状態において相互に隣接して当接する。
【００１３】
この釣竿では、収納状態において第２釣糸ガイドのガイドリングが第１釣糸ガイドのガイドリングに隣接して当接し、軸方向に連続して恰も１つの釣糸ガイドのようになる。
ここで、第１釣糸ガイドのガイドリングと第２釣糸ガイドのガイドリングとはそれぞれ径を一致させた同じリングとしてもよく、相互に径を変化させて何れか一方のガイドリングのみに釣糸が当たるように工夫してもよい。
【００１４】
【発明の実施の形態】
［第１実施形態］
以下、本発明の第１実施形態について図面を参照しつつ説明する。
本発明の第１実施形態を採用した釣竿は、図１に示すように、元竿１と、元竿１の穂先側に順次振出形式で連結される、元上竿２，第１中竿３，第２中竿４及び穂先竿５とを有している。これら元竿１〜穂先竿５は炭素繊維またはガラス繊維等に合成樹脂を含浸させたプリプレグから形成される先細り筒状部材であって、第１中竿２〜穂先竿５は穂先側から順次竿元側の竿体の内部に挿入され出し入れ自在である。なお、竿体の数は任意に設定するものであり、５本に限定されるものではない。
【００１５】
元竿１は、外周面に形成されリール（図示せず）を脱着自在に装着可能なリールシート６を有し、竿元側端部には尻栓７が脱着自在に装着されている。また、穂先側端部の外周面には第１釣糸ガイド１０が装着されている。このリールシート６は別途合成樹脂等で形成されたパイプ状の部材を所定の位置に配置して固定して形成されている。また、元竿１の竿元側端部内周面には雌ねじ部材が配置され、ここに尻栓７が脱着自在に螺合している。さらに、元竿１の穂先側端部内周面は他の部分に比べてやや小径に設定されて嵌合雌部となっている。
【００１６】
図２及び図３に示すように、第１釣糸ガイド１０は、元竿１の穂先側端部外周面にはめ込まれた金属製の保護リング８の竿元側に隣接して元竿１の外周面に固定されている。この第１釣糸ガイド１０は、元竿１が貫通した状態で元竿１の外周面に固定される固定部１１と、固定部１１から起立する本体部１２と、本体部１２の頭端部に竿体の軸方向に向かって開口するようにはめ込まれたセラミックス等の硬質部材からなるガイドリング１３とを有している。
【００１７】
元上竿２は、元竿１の穂先側に連結された竿体であり、軸方向中央付近よりやや穂先側に位置する外周面に第２ガイドリング２０を有している。また、この第２ガイドリング２０の竿元側には金属製の保護リング９が固定されている。この元上竿２は竿元側端部外周面に第１嵌合雄部を、第２ガイドリング２０の竿元側の外周面に第２嵌合雄部を有し、それぞれの嵌合雄部を元竿１の嵌合雌部と嵌着させて、収納状態と延伸状態とに於いて相互に固定可能となっている。なお、特に図示しないが、元竿１の尻栓７に隣接する元竿１の内部にストッパーリングを配置し、収納状態においてはこのストッパーリングで元上竿２の竿元側端部を固定するようにしてもよい。
【００１８】
図２及び図３に示すように、第２釣糸ガイド２０は、元上竿２が貫通した状態で元上竿２の外周面に固定される固定部２１と、固定部２１から起立しつつ竿元側に湾曲している本体部２２と、本体部２２の頭端部に竿体の軸方向に向かって開口するようにはめ込まれたセラミックス等の硬質部材からなるガイドリング２３とを有している。
【００１９】
図４に示すように、この本体部２２は固定部２１より起立しつつ左右方向に二股に分かれており、竿元側に湾曲しつつその頭端で再び一体化してリング状となっている。そして、このリング状の頭端部分にガイドリング２３がはめ込まれて固定されている。このガイドリング２３がはめ込まれた本体部２２の頭端側のリング状の部分の外径は、上述の第１釣糸リング１０のガイドリング１３の内径に一致するように設定され、且つ、その釣竿における軸方向位置も収納状態において、相互に一致するように配置されている（図２及び図５参照）。
【００２０】
第１中竿３〜穂先竿５はそれぞれ順次元上竿２の穂先側に連結される。各竿体の竿元側端部や穂先側端部外周面は相互に嵌合固定可能な嵌合部分として加工されている。また、各竿体の周面には、それぞれの竿体の穂先側端部外周面に固定ガイドが装着されると共に複数のスライドガイドが配置されている。このスライドガイドは周知のものであり、各竿体周面を軸方向に滑動自在に配置され、所定の軸方向位置において竿体の外径と合致して固定可能となっている。
【００２１】
このような構成の釣竿では、釣りを終えた際には、スライドガイドを穂先側にスライド移動させた上で、各竿体を順次竿元側の竿体の内部に振出形式で収納してコンパクトな状態になる。一方、釣りを行う際には、順次穂先側の竿体を引き出して相互に竿体を連結し、スライドガイドもスライド移動させて固定し、一本の釣竿をして用いることになる。特に、元竿１と元上竿２とにおいては、元上竿２を元竿１の穂先側に引き出した延伸状態と、元上竿２を元竿１内に挿入した収納状態との双方の状態において相互に竿体を固定可能である。そして、釣竿全体の長さを調整しつつ、釣り状況に応じて釣りを行うことが可能となる。
【００２２】
この元竿１と元上竿２との関係において、延伸状態においては、元竿１の第１釣糸ガイド１０と元上竿２の第２釣糸ガイド２０がそれぞれ所定の軸方向間隔をもって配置されることで、リールからの釣糸が円滑に穂先側の釣糸ガイドに案内される（図３参照）。
一方、収納状態においては、第２釣糸ガイド２０の本体部２２の一部がガイドリング２３と共に第１釣糸ガイド１０のガイドリング１３に填り、恰も１つの釣糸ガイドのように位置して作用する。そして、他の釣糸ガイドとの間で不当に釣糸ガイド同士の軸方向間隔を変化させること無く、リールからの釣糸を円滑に穂先側へと案内する（図２参照）。
【００２３】
［第２実施形態］
以下、上述の第１実施形態の変形例について図面を参照しつつ説明する。
この実施形態における釣竿も、第１実施形態と同様の元竿１と元上竿２とを有している。そして、図６及び図７に示すように、元竿１の穂先側端部には第１釣糸ガイド３０が、元上竿２の軸方向中央付近の所定位置の周面には第２釣糸ガイド４０がそれぞれ固定されている。
【００２４】
第１釣糸ガイド３０は、元竿１が貫通した状態で元竿１の外周面に固定される固定部３１と、固定部３１から起立しつつ穂先側にやや湾曲している本体部３２と、本体部３２の頭端部に竿体の軸方向にはめ込まれたセラミックス等の硬質部材からなるガイドリング３３とを有している。本体部３２には固定部３１より起立しつつ左右方向に二股に分かれており、竿元側に湾曲しつつその頭端で再び一体化している。そして、この頭端部分は頭端側が半分欠けた半円型である。そして、この半円型の頭端部分に同様に半円型のガイドリング３３がはめ込まれて固定されている。
【００２５】
第２釣糸ガイド４０は、元上竿２が貫通した状態で元上竿２の外周面に固定される固定部４１と、固定部４１から起立しつつ竿元側に湾曲している本体部４２と、本体部４２の頭端部に竿体の軸方向に向かって開口するようにはめ込まれたセラミックス等の硬質部材からなるガイドリング４３とを有している。
このガイドリング４３がはめ込まれた本体部４２の頭端側のリング状の部分の外径は、上述の第１釣糸ガイド３０の半円型のガイドリング３３の内径に一致するように設定され、且つ、その釣竿における軸方向位置も収納状態において、相互に一致するように配置されている。そして、ちょうど、半円のガイドリング３３上にガイドリング４３等が載るような形になる。
【００２６】
なお、その他の竿体等については上記第１実施形態と同様である。
このような構造の釣竿においても、第１実施形態と同様の作用効果を奏することになる。即ち、元上竿２と元竿１との関係において、延伸状態においては、第１釣糸ガイド３０と第２釣糸ガイド４０とが所定の軸方向間隔を隔てて位置して、リールからの釣糸を円滑に穂先側に案内している。もっとも、リールに近い位置に位置することになる第１釣糸ガイド３０に関しては、釣糸が竿体に接触しないように支える程度でも足り得るので、半円型のガイドリング３３でも用い得る。
【００２７】
また、収納状態においては、第２釣糸ガイド４０が第１釣糸ガイド３０と重なって恰も１つの釣糸ガイドのように作用し、他の釣糸ガイドとの間で不当に釣糸ガイド同士の軸方向間隔を変化させること無く、リールからの釣糸を円滑に穂先側へと案内する。
【００２８】
［第３実施形態］
以下、さらに別の変形例について図面を参照しつつ説明する。
この実施形態における釣竿も、第１実施形態と同様の元竿１と元上竿２とを有している。そして、図８に示すように、元竿１の穂先側端部には第１釣糸ガイド５０が、元上竿２の軸方向中央付近の所定位置の周面には第２釣糸ガイド６０がそれぞれ固定されている。
第１釣糸ガイド５０は、元竿１が貫通した状態で元竿１の外周面に固定される固定部５１と、固定部５１から起立する本体部５２と、本体部５２の頭端部に竿体の軸方向にはめ込まれたセラミックス等の硬質部材からなるガイドリング５３とを有している。
【００２９】
第２釣糸ガイド６０は、元上竿２が貫通した状態で元上竿２の外周面に固定される固定部６１と、固定部６１から起立しつつ竿元側に湾曲している本体部６２と、本体部６２の頭端部に竿体の軸方向に向かって開口するようにはめ込まれたセラミックス等の硬質部材からなるガイドリング６３とを有している。この本体部６２は竿元側に湾曲して第１釣糸ガイド５０に沿うように配置される。即ち、収納状態において、ガイドリング６３は第１釣糸ガイド５０のガイドリング５３の穂先側に隣接して当接する。
【００３０】
なお、その他の竿体等については上記第１実施形態と同様である。
このような構造の釣竿においても、第１実施形態と同様の作用効果を奏することになる。即ち、元上竿２と元竿１との関係において、延伸状態においては、第１釣糸ガイド５０と第２釣糸ガイド６０とが所定の軸方向間隔を隔てて位置して、リールからの釣糸を円滑に穂先側に案内している。また、収納状態においては、第２釣糸ガイド６０が第１釣糸ガイド５０と隣接して恰も１つの釣糸ガイドのように作用し、他の釣糸ガイドとの間で不当に釣糸ガイド同士の軸方向間隔を変化させること無く、リールからの釣糸を円滑に穂先側へと案内する。
【００３１】
この実施形態においては、ガイドリング５３とガイドリング６３との径が異なり、ガイドリング６３がより小径に設定されており、収納状態における両リングを挿通する釣糸は専らガイドリング６３に於いて支持されるようになっている。もっとも、両者の径が一致するように設定してもよい。
【００３２】
［第４実施形態］
以下、さらに別の第４実施形態について図面を参照しつつ説明する。
この実施形態における釣竿も、第１実施形態と同様の元竿１と元上竿２とを有している。そして、図９に示すように、元竿１の穂先側端部には第１釣糸ガイド７０が、元上竿２の軸方向中央付近の所定位置の周面には第２釣糸ガイド８０がそれぞれ固定されている。
第１釣糸ガイド７０は、元竿１が貫通した状態で元竿１の外周面に固定される固定部７１と、固定部７１から起立する本体部７２とを有する。この本体部７２の頭端は、側面方向からみて竿元側に突出するように「く」の字型に屈曲しつつ、正面方向から見て略楕円型に形成されている（図１０参照）。必要に応じて、この頭端にはその形状にあわせて加工したガイドリングをはめ込んでもよい。
【００３３】
第２釣糸ガイド８０は、元上竿２が貫通した状態で元上竿２の外周面に固定される固定部８１と、固定部８１から起立しつつ竿元側に湾曲している本体部８２と、本体部８２の頭端部に竿体の軸方向に向かって開口するようにはめ込まれたセラミックス等の硬質部材からなるガイドリング８３とを有している。この本体部８２の頭端側は竿元側に湾曲して、ガイドリング８３と共に第１釣糸ガイド７０の本体部７２の湾曲した部分に合致するように配置される（図９参照）。
【００３４】
なお、その他の竿体等については上記第１実施形態と同様である。
このような構造の釣竿においても、第１実施形態と同様の作用効果を奏することになる。即ち、元上竿２と元竿１との関係において、延伸状態においては、第１釣糸ガイド７０と第２釣糸ガイド８０とが所定の軸方向間隔を隔てて位置して、リールからの釣糸を円滑に穂先側に案内している。また、収納状態においては、第２釣糸ガイド８０が第１釣糸ガイド７０と隣接して恰も１つの釣糸ガイドのように作用し、他の釣糸ガイドとの間で不当に釣糸ガイド同士の軸方向間隔を変化させること無く、リールからの釣糸を円滑に穂先側へと案内する。
【００３５】
さらに、このような第１釣糸ガイド７０と第２釣糸ガイド８０とにあっては、元竿１と元上竿２との収納状態における嵌着を解除するために竿体同士を周方向にねじる作業も容易である。即ち、収納状態において元竿１と元上竿２とを相互に周方向にねじると、合致している第２釣糸ガイド８０のガイドリング８３付近は第１釣糸ガイド７０の本体部の湾曲した部分から周方向に逃げ得ることになり（図１０参照）、竿体相互の周方向の動きが阻害されない。
【００３６】
【発明の効果】
本発明の釣竿では、釣竿全体の長さを調整しつつ釣糸を円滑に案内可能である。
【図面の簡単な説明】
【図１】本発明の第１実施形態を採用した釣竿の全体図。
【図２】図１の元竿１と元上竿２との収納状態における状態を示した図。
【図３】図１の元竿１と元上竿２との延伸状態における状態を示した図。
【図４】図２の第１釣糸ガイド１０と第２釣糸ガイド２０との位置関係を示した正面図。
【図５】図４の参考図。
【図６】本発明の第２実施形態を採用した釣竿の第１釣糸ガイド１０と第２釣糸ガイド２０との位置関係を示した正面図。
【図７】本発明の第２実施形態を採用した釣竿の第１釣糸ガイド１０と第２釣糸ガイド２０との位置関係を示した側面図。
【図８】本発明の第３実施形態を採用した釣竿の元竿１と元上竿２との収納状態における状態を示した図。
【図９】本発明の第４実施形態を採用した釣竿の元竿１と元上竿２との収納状態における状態を示した図。
【図１０】図９の参考図。
【符号の説明】
１  元竿
２  元上竿
１０，３０，５０，７０  第１ガイドリング
２０，４０，６０，８０  第２ガイドリング
【図１】
0003907043.tif 000002
【図２】
0003907043.tif 000003
【図３】
0003907043.tif 000004
【図４】
0003907043.tif 000005
【図５】
0003907043.tif 000006
【図６】
0003907043.tif 000007
【図７】
0003907043.tif 000008
【図８】
0003907043.tif 000009
【図９】
0003907043.tif 000010
【図１０】
0003907043.tif 000011